(57)【要約】【課題】  ナンバー・ディスプレイサービスに対応した子機が接続されている場合に発信元情報を正しく検出することができるファクシミリ装置を提供する。【解決手段】  子機２１を接続するためのコネクタ５及び７と、コネクタ５及び７と共に電話回線に接続される装置本体１１とを有するファクシミリ装置であって、電話回線の回線電圧に基づいて交換機からのＣＡＲ信号を検出するＣＡＲ信号検出部３１と、ＣＡＲ信号が検出された場合に、子機２１が電話回線を閉結する際の子機２１の閉結動作を回線電圧に基づいて検出する応答検出部３２と、応答検出部３２による検出結果に基づいて電話回線を閉結する回線閉結処理部３３と、交換機が子機２１による電話回線の閉結に基づいて送信した発信元情報を受信する受信処理部３４と、受信処理部３４による発信元情報の受信結果に基づいて電話回線を開放する通知処理部３５により構成される。【選択図】  図２
2008211741.tif 000002
【特許請求の範囲】
【請求項１】
子機を接続するための接続端子と、この接続端子と共に電話回線に接続される装置本体とを有するファクシミリ装置において、
上記電話回線の回線電圧を検出する回線電圧検出手段と、
上記回線電圧に基づいて、交換機からの端末起動信号を検出する起動信号検出手段と、
上記端末起動信号が検出された場合に、上記子機が上記電話回線を閉結する際の子機の閉結動作を上記回線電圧に基づいて検出する応答検出手段と、
上記応答検出手段による検出結果に基づいて、上記電話回線を閉結する回線閉結手段と、
上記交換機が上記子機による電話回線の閉結に基づいて送信した発信元情報を受信する受信手段とを備えたことを特徴とするファクシミリ装置。
【請求項２】
上記受信手段による発信元情報の受信結果に基づいて上記電話回線を開放する回線開放手段を備えたことを特徴とする請求項１に記載のファクシミリ装置。
【請求項３】
上記回線電圧に基づいて、上記子機による電話回線の開放動作を検出する受信完了検出手段と、
上記受信完了検出手段による検出結果に基づいて上記電話回線を開放する回線開放手段とを備えたことを特徴とする請求項１に記載のファクシミリ装置。
【請求項４】
上記受信手段は、上記回線閉結手段による電話回線の閉結により形成される直流ループを流れる電流を利用して、発信元情報を受信することを特徴とする請求項１に記載のファクシミリ装置。
【発明の詳細な説明】
【技術分野】
【０００１】
本発明は、ファクシミリ装置に係り、さらに詳しくは、端末起動信号を検知した子機による電話回線の閉結に基づいて交換機が送信する発信元情報を受信するファクシミリ装置の改良に関する。
【背景技術】
【０００２】
発信元端末に割り当てられている電話番号などの発信元情報を着信時に表示させる通信サービスとして、いわゆるナンバー・ディスプレイ（登録商標）サービスが知られている。ナンバー・ディスプレイサービスは、ナンバー・ディスプレイサービスに対応した端末間でのみ利用可能となるサービスであり、通常の呼び出しに先立って発信元情報が通信先端末に通知される。
【０００３】
図６は、ナンバー・ディスプレイサービスに対応した子機を有する従来のファクシミリ装置の動作を示したシーケンス図である。このファクシミリ装置は、子機を接続するための接続端子と、この接続端子と共に電話回線に接続される装置本体とを有する情報通信端末であり、子機が接続された状態では、子機が電話回線を介して通知される発信元情報を受信する。例えば、発信元端末により呼出要求が送信されると、通信を中継する交換機は、その呼出要求に基づいてＣＡＲ信号と呼ばれる端末起動信号を通信先端末としてのファクシミリ装置へ送信する。子機がファクシミリ装置の装置本体に接続された状態では、子機がそのＣＡＲ信号の受信を検知して１次応答を行う。１次応答では、電話回線を閉結することによる回線電圧の変化が１次応答信号として伝送される。
【０００４】
交換機は、この１次応答信号を受信すると、発信元情報を通信先端末へ送信する。子機は、発信元情報の受信が完了すると、受信完了信号を交換機へ送信する。受信完了信号は、電話回線を開放することによる回線電圧の変化として伝送される。交換機は、この受信完了信号を受信すると、通常の呼び出し処理を行う。すなわち、交換機は、呼出音を再生させるための呼出信号を通信先端末へ送信するとともに、呼び出し中であることを示すリングバックトーン信号を発信元端末へ送信する。子機は、交換機からの呼出信号に基づいて呼出音を再生し、そして、受話器を持ち上げるなどのユーザによるオフフック操作に基づいて電話回線を再度閉結し、交換機に対して２次応答を行う。この様な子機では、交換機から通知された発信元情報が呼出音の再生時に表示される。
【０００５】
子機側だけでなく、装置本体側にも発信元情報を表示することができれば極めて便利である。特許文献１及び２には、子機が接続された装置本体のディスプレイ上に発信元情報を表示するファクシミリ装置が記載されている。これらの特許文献１及び２に記載のファクシミリ装置では、子機の動作がモニターされ、子機による１次応答動作が検知されると、装置本体が電話回線を開放した状態で発信元情報の検出処理が行われる。
【特許文献１】特開２００１−２４５０４０号公報
【特許文献２】特開２０００−４９９６３号公報
【発明の開示】
【発明が解決しようとする課題】
【０００６】
上述した様な従来のファクシミリ装置では、子機が接続されている場合に、装置本体における発信元情報の検出処理が電話回線を開放させた状態で行われる。一般に、発信元情報などを受信する受信回路のダイナミックレンジは、電話回線を開放させた状態で受信する場合の方が閉結させた状態で受信する場合に比べて小さい。このため、発信元情報の検出に失敗してしまうケースが生じるという問題があった。
【０００７】
本発明は、上記事情に鑑みてなされたものであり、装置本体における発信元情報の検出精度を向上させたファクシミリ装置を提供することを目的としている。特に、ナンバー・ディスプレイサービスに対応した子機が接続されている場合に、子機や交換機の動作に影響を与えることなく発信元情報を正しく検出することができるファクシミリ装置を提供することを目的としている。
【課題を解決するための手段】
【０００８】
第１の本発明によるファクシミリ装置は、子機を接続するための接続端子と、この接続端子と共に電話回線に接続される装置本体とを有するファクシミリ装置であって、上記電話回線の回線電圧を検出する回線電圧検出手段と、上記回線電圧に基づいて、交換機からの端末起動信号を検出する起動信号検出手段と、上記端末起動信号が検出された場合に、上記子機が上記電話回線を閉結する際の子機の閉結動作を上記回線電圧に基づいて検出する応答検出手段と、上記応答検出手段による検出結果に基づいて、上記電話回線を閉結する回線閉結手段と、上記交換機が上記子機による電話回線の閉結に基づいて送信した発信元情報を受信する受信手段とを備えて構成される。
【０００９】
このファクシミリ装置では、端末起動信号が検出された場合に、子機が電話回線を閉結する際の子機の閉結動作が検出され、その検出結果に基づいて電話回線が閉結される。その際、交換機が子機による電話回線の閉結に基づいて送信する発信元情報が受信される。この様な構成により、子機の閉結動作の検出結果に基づいて電話回線を閉結して発信元情報が受信されるので、電話回線の閉結により子機が交換機に対して１次応答を行った場合に、電話回線を閉結させた状態で発信元情報を受信することができる。従って、発信元情報を受信する受信回路のダイナミックレンジが電話回線を開放させた状態で受信するものに比べて大きくなるので、装置本体における発信元情報の検出精度を向上させることができる。特に、子機による１次応答後に電話回線を閉結して発信元情報の受信が行われるので、ナンバー・ディスプレイサービスに対応した子機が接続されている場合に、子機や交換機の動作に影響を与えることなく、発信元情報を正しく検出することができる。
【００１０】
第２の本発明によるファクシミリ装置は、上記構成に加え、上記受信手段による発信元情報の受信結果に基づいて上記電話回線を開放する回線開放手段を備えて構成される。この様な構成によれば、子機及び装置本体による電話回線の開放により、回線電圧が子機による１次応答の前の状態と同じ状態となるので、交換機に通信先端末における発信元情報の受信完了を正しく検知させることができる。
【００１１】
第３の本発明によるファクシミリ装置は、上記構成に加え、上記回線電圧に基づいて、上記子機による電話回線の開放動作を検出する受信完了検出手段と、上記受信完了検出手段による検出結果に基づいて上記電話回線を開放する回線開放手段とを備えて構成される。この様な構成によれば、子機及び装置本体による電話回線の開放により、回線電圧が子機による１次応答の前の状態と同じ状態となるので、交換機に通信先端末における発信元情報の受信完了を正しく検知させることができる。
【００１２】
第４の本発明によるファクシミリ装置は、上記構成に加え、上記受信手段が、上記回線閉結手段による電話回線の閉結により形成される直流ループを流れる電流を利用して、発信元情報を受信するように構成される。
【発明の効果】
【００１３】
本発明によるファクシミリ装置によれば、子機の閉結動作の検出結果に基づいて電話回線を閉結して発信元情報が受信されるので、電話回線の閉結により子機が交換機に対して１次応答を行った場合に、電話回線を閉結させた状態で発信元情報を受信することができる。従って、発信元情報を受信する受信回路のダイナミックレンジが電話回線を開放させた状態で受信するものに比べて大きくなるので、装置本体における発信元情報の検出精度を向上させることができる。特に、子機による１次応答後に電話回線を閉結して発信元情報の受信が行われるので、ナンバー・ディスプレイサービスに対応した子機が接続されている場合に、子機や交換機の動作に影響を与えることなく、発信元情報を正しく検出することができる。
【発明を実施するための最良の形態】
【００１４】
実施の形態１．
図１は、本発明の実施の形態１によるファクシミリ装置１の概略構成の一例を示したブロック図である。このファクシミリ装置１は、デジタル複合機と呼ばれる情報通信端末であり、コネクタ２，５，７、ＤＡＡ回路３、制御部４、リレー回路６，８、ディスプレイ９、スキャナ部１０ａ及びプリンタ部１０ｂからなる装置本体１１と、子機２１により構成される。
【００１５】
スキャナ部１０ａは、読み取り対象とする原稿に光を照射しながら走査させ、当該原稿による反射光を受光して画像データを生成する撮像装置である。ここでは、原稿（用紙）の紙送り方向に照射光を走査（スキャン）させることにより、原稿上の手書き文字や印刷パターンが読み取られるものとする。生成された画像データは、制御部４へ出力される。
【００１６】
プリンタ部１０ｂは、制御部４から入力される画像データの出力装置であり、例えば、ＬＥＤプリントヘッド、駆動制御部、感光体ドラム、帯電器、現像部、転写部及び定着部により構成される。ＬＥＤプリントヘッドは、複数のＬＥＤ（Light Emitting Diode：発光ダイオード）を直線上に配置させたＬＥＤアレイを備え、画像データに基づいて光を感光体ドラムに照射する動作を行っている。
【００１７】
駆動制御部は、感光体ドラム、帯電器、現像部、転写部及び定着部からなるプリンタ機構の制御を行っている。感光体ドラムは、表面に感光体層が形成された円筒状の回転体であり、印刷時には、帯電器により表面が一様に帯電される。この様に帯電された感光体ドラムの表面に光を照射させることにより、静電潜像が形成される。
【００１８】
現像部は、静電潜像が形成された感光体ドラムの表面にトナーを付着させてトナー像を形成させる動作を行っている。転写部は、感光体ドラムの表面に形成されたトナー像を印刷用紙に転写させる動作を行っている。定着部は、トナー像が転写された印刷用紙を加熱処理及び加圧処理し、画像を印刷用紙表面に定着させる動作を行っている。
【００１９】
ディスプレイ９は、制御部４から入力される表示データの出力装置であり、子機２１に対するオフフックの操作情報などを画面表示するのに用いられる。
【００２０】
コネクタ２は、装置本体１１を電話回線に接続するためのコネクタであり、電話回線用の通信ケーブルがＤＡＡ回路３に着脱可能に接続される。この電話回線は、例えば、交換機により通信が中継されるアナログ回線又はデジタル回線からなる公衆回線であり、音声信号や通信データが２本の通信ケーブルを介して伝送される。この電話回線には、所定の直流電圧（電圧値Ｖ０）が印加されている。例えば、Ｖ０＝４８ボルトの電圧が印加されている。
【００２１】
ＤＡＡ（Data Access Arrangement）回路３は、電話回線を介して行われる音声信号及び通信データの入出力を制御するインターフェース回路であり、電話回線の回線電圧をモニターする機能を備えている。電話回線の回線電圧は、一定の時間間隔で繰り返し検出され、検出された電圧データは、制御部４へ出力される。
【００２２】
制御部４は、通信制御、表示処理及び画像処理などを行うコントローラであり、マイクロプロセッサからなる。この制御部４は、異なる２つの動作モード、すなわち、子機未接続モード及び子機接続モードで動作可能となっており、ユーザ操作に基づいて動作モードを変更することができる。
【００２３】
子機未接続モードは、子機２１を装置本体１１に接続しない場合に選択され、子機の動作に関わらず、ＣＡＲ信号の受信処理、１次応答、発信元情報の受信処理などの通信処理が行われる。つまり、子機未接続モードでは、装置本体がナンバー・ディスプレイサービスに対応した通信端末として動作する。一方、子機接続モードは、子機２１を装置本体１１に接続する場合に選択され、子機２１の動作に応じて、１次応答及び発信元情報の受信処理が行われる。
【００２４】
コネクタ５及び７は、いずれも子機２１を装置本体１１に接続するための接続端子であり、電話回線と同様の通信ケーブルがＤＡＡ回路３及び制御部４に着脱可能に接続される。子機２１は、通信ケーブルを介して装置本体に接続されるナンバー・ディスプレイサービスに対応した外付けの電話機であり、受話用レシーバ及び送話用マイクロホンの他に、通信制御回路２２を備えている。
【００２５】
この通信制御回路２２では、交換機から電話回線を介して伝達されるＣＡＲ信号（端末起動信号）の受信処理、交換機への１次応答処理、発信元情報の受信処理、発信元情報の受信完了の通知処理、呼出信号の受信処理、オフフック操作に基づく２次応答処理が行われる。交換機に対する１次応答処理は、電話回線を閉結させることにより行われる。発信元情報の受信完了の通知処理は、電話回線を開放させることにより行われ、受信完了信号が交換機へ送信される。オフフック操作に基づく２次応答処理は、電話回線を再度閉結させることにより行われる。
【００２６】
リレー回路６及び８は、それぞれコネクタ５及び７を介して子機２１を電話回線又は制御部４のいずれかに接続するスイッチ回路であり、制御部４からの指示により接続が切り替えられる。子機２１は、ＤＡＡ回路３に対して並列接続となるように、コネクタ５及び７を介してコネクタ２及びＤＡＡ回路３間に接続されている。つまり、装置本体のＤＡＡ回路３は、子機２１用のコネクタ５及び７と共に電話回線に接続されている。
【００２７】
ここで、コネクタ５及び７に接続可能な子機２１には、ナンバー・ディスプレイサービスに対応した子機２１と、ナンバー・ディスプレイサービスに対応していない子機とがあるものとする。本実施の形態によるファクシミリ装置１では、ナンバー・ディスプレイサービスに対応した少なくとも１台の子機２１が、装置本体１１に接続されている。ここでは、子機２１がコネクタ５を介して装置本体１１に接続されており、コネクタ７には子機が接続されていないものとする。
【００２８】
制御部４は、装置本体１１への着信があった場合などに、リレー回路６及び８を制御部４側に切り替え、呼び出し音を再生させるための制御信号を子機２１へ出力する。装置本体１１への着信時以外は、リレー回路６及び８は電話回線側に切り替えられる。この制御部４では、ＤＡＡ回路３からの電圧データに基づいて子機２１による１次応答を検知し、電話回線を閉結させた状態で発信元情報を受信してディスプレイ９上に表示する動作が行われる。
【００２９】
図２は、図１のファクシミリ装置１の動作の一例を示したシーケンス図であり、発信元端末からの呼出要求に基づいて呼び出しが行われる場合の様子が示されている。子機２１が接続された状態では、子機２１が電話回線を介して通知される発信元情報を受信する。例えば、発信元端末により呼出要求が送信されると、通信を中継する交換機は、その呼出要求に基づいてＣＡＲ信号を通信先端末としてのファクシミリ装置１へ送信する。ＣＡＲ信号は、発信元情報の通知を伴う着信であることを通信先端末に知らせるために、呼出信号の送信よりも前に送信される端末起動信号である。
【００３０】
子機２１がファクシミリ装置１の装置本体１１に接続された状態では、子機２１がＣＡＲ信号の受信を検知して１次応答を行う。１次応答では、電話回線を閉結することによる回線電圧の変化、すなわち、回線電圧の低下が１次応答信号として伝送される。このとき、装置本体１１は、交換機から電話回線を介して伝達されるＣＡＲ信号を検知するとともに、ＣＡＲ信号が検知された場合に子機２１の閉結動作を検出し、その検出結果に基づいて電話回線を閉結して１次応答を交換機へ送信する。
【００３１】
交換機は、子機２１からの１次応答を受信すると、発信元情報を通信先端末へ送信する。子機２１は、発信元情報の受信が完了すると、受信完了信号を交換機へ送信する。受信完了信号は、電話回線を開放することによる回線電圧の変化、すなわち、回線電圧の上昇として伝送される。このとき、装置本体１１は、電話回線を閉結させた状態で交換機からの発信元情報を受信し、その受信結果に基づいて受信完了信号を交換機へ送信する。
【００３２】
交換機は、子機２１及び装置本体１１からの受信完了信号を受信すると、通常の呼び出し処理を行う。すなわち、交換機は、呼出音を再生させるための呼出信号を通信先端末へ送信するとともに、呼び出し中であることを示すリングバックトーン信号を発信元端末へ送信する。子機２１は、交換機からの呼出信号に基づいて呼出音を再生し、そして、受話器を持ち上げるなどのユーザによるオフフック操作に基づいて電話回線を再度閉結し、交換機に対して２次応答を行う。
【００３３】
図３は、図１のファクシミリ装置１の要部における構成例を示したブロック図であり、制御部４内の機能構成の一例が示されている。この制御部４は、ＣＡＲ信号検出部３１、応答検出部３２、回線閉結処理部３３、受信処理部３４及び通知処理部３５により構成される。ＣＡＲ信号検出部３１は、ＤＡＡ回路３からの電圧データに基づいて、交換機から電話回線を介して伝達されるＣＡＲ信号を検出する動作を行っている。ＣＡＲ信号の検出は、電話回線を開放させた状態で行われる。
【００３４】
応答検出部３２は、ＣＡＲ信号が検出された場合に、ＤＡＡ回路３からの電圧データに基づいて、子機２１の閉結動作を検出する処理を行っている。つまり、ＣＡＲ信号が検出された場合に、子機２１が電話回線の閉結により１次応答を送信する際の子機２１の閉結動作が検出される。
【００３５】
回線閉結処理部３３は、応答検出部３２による検出結果に基づいて、電話回線を閉結するための閉結信号を生成し、ＤＡＡ回路３へ出力する動作を行っている。ＤＡＡ回路３が電話回線を閉結させることにより、交換機へ１次応答が送信される。
【００３６】
受信処理部３４は、交換機が送信した発信元情報を受信する動作を行っている。この受信処理部３４では、例えば、回線閉結処理部３３による電話回線の閉結により形成される直流ループを流れる電流を利用して、発信元情報を受信する処理が行われる。
【００３７】
通知処理部３５は、電話回線を開放するための開放信号を生成し、ＤＡＡ回路３へ出力する回線開放手段である。この開放信号は、例えば、受信処理部３４による発信元情報の受信結果に基づいて生成される。ＤＡＡ回路３が電話回線を開放させることにより、発信元情報の受信完了が交換機に通知される。
【００３８】
図４のステップＳ１０１〜Ｓ１０８は、図１のファクシミリ装置１における制御部４の呼び出し時の動作の一例を示したフローチャートである。まず、応答検出部３２は、ＣＡＲ信号検出部３１においてＣＡＲ信号が検出されると、ＤＡＡ回路３からの電圧データをモニターし、子機２１による１次応答の検出を行う（ステップＳ１０１〜Ｓ１０３）。
【００３９】
回線閉結処理部３３は、子機２１による１次応答が検出されると、閉結信号を生成し、電話回線を閉結させる（ステップＳ１０４）。次に、通知処理部３５は、受信処理部３４による発信元情報の受信処理が完了すると、その受信処理結果に基づいて開放信号を生成し、電話回線を開放させる(ステップＳ１０５，Ｓ１０６）。
【００４０】
制御部４では、交換機からの呼出信号を受信すると、その受信結果に基づいて発信元情報をディスプレイ９上に表示する（ステップＳ１０７，Ｓ１０８）。
【００４１】
本実施の形態によれば、子機２１の閉結動作の検出結果に基づいて電話回線を閉結して発信元情報が受信されるので、電話回線の閉結により子機２１が交換機に対して１次応答を行った場合に、電話回線を閉結させた状態で発信元情報を受信することができる。従って、発信元情報を受信する受信回路のダイナミックレンジが電話回線を開放させた状態で受信するものに比べて大きくなるので、装置本体１１における発信元情報の検出精度を向上させることができる。
【００４２】
特に、子機２１による１次応答後に電話回線を閉結して発信元情報の受信が行われるので、ナンバー・ディスプレイサービスに対応した子機２１が接続されている場合に、子機２１や交換機の動作に影響を与えることなく、発信元情報の検出精度を向上させることができる。また、子機２１及び装置本体１１による電話回線の開放により、回線電圧が子機２１による１次応答の前の状態と同じ状態となるので、交換機に通信先端末における発信元情報の受信完了を正しく検知させることができる。
【００４３】
実施の形態２．
実施の形態１では、通知処理部３５が発信元情報の受信結果に基づいて電話回線を開放させる場合の例について説明した。これに対し、本実施の形態では、子機２１による電話回線の開放動作を検出し、その検出結果に基づいて電話回線を開放させる場合について説明する。
【００４４】
図５は、本発明の実施の形態２によるファクシミリ装置の構成例を示したブロック図であり、制御部４０内の機能構成の一例が示されている。本実施の形態によるファクシミリ装置の制御部４０は、図３の制御部４と比較すれば、受信完了検出部４１を備えている点で異なる。
【００４５】
受信完了検出部４１は、ＤＡＡ回路３からの電圧データに基づいて、子機２１による電話回線の開放動作を検出する処理を行っている。つまり、発信元情報の受信時に、子機２１が電話回線の開放により受信完了信号を交換機へ送信する際の子機２１の開放動作が検出される。
【００４６】
通知処理部４２は、受信完了検出部４１による検出結果に基づいて開放信号を生成し、ＤＡＡ回路３へ出力する動作を行っている。この様な構成によっても、子機２１及び装置本体１１による電話回線の開放により、回線電圧が子機２１による１次応答の前の状態と同じ状態となるので、交換機に通信先端末における発信元情報の受信完了を正しく検知させることができる。
【図面の簡単な説明】
【００４７】
【図１】本発明の実施の形態１によるファクシミリ装置１の概略構成の一例を示したブロック図である。
【図２】図１のファクシミリ装置１の動作の一例を示したシーケンス図であり、発信元端末からの呼出要求に基づいて呼び出しが行われる場合の様子が示されている。
【図３】図１のファクシミリ装置１の要部における構成例を示したブロック図であり、制御部４内の機能構成の一例が示されている。
【図４】図１のファクシミリ装置１における制御部４の呼び出し時の動作の一例を示したフローチャートである。
【図５】本発明の実施の形態２によるファクシミリ装置の構成例を示したブロック図であり、制御部４０内の機能構成の一例が示されている。
【図６】ナンバー・ディスプレイサービスに対応した子機を有する従来のファクシミリ装置の動作を示したシーケンス図である。
【符号の説明】
【００４８】
１  ファクシミリ装置
２，５，７  コネクタ
３  ＤＡＡ回路
４  制御部
６，８  リレー回路
９  ディスプレイ
１０ａ  スキャナ部
１０ｂ  プリンタ部
１１  装置本体
２１  子機
２２  通信制御回路
３１  ＣＡＲ信号検出部
３２  応答検出部
３３  回線閉結処理部
３４  受信処理部
３５  通知処理部
４０  制御部
４１  受信完了検出部
４２  通知処理部
【図１】
2008211741.tif 000003
【図２】
2008211741.tif 000004
【図３】
2008211741.tif 000005
【図４】
2008211741.tif 000006
【図５】
2008211741.tif 000007
【図６】
2008211741.tif 000008